(57)【要約】【課題】ストレッチャーに対して簡単な構造で容易に着脱することが可能であり、かつ安定して生体情報表示装置を支持することが可能な生体情報表示装置の架台の提供。【解決手段】点滴用ポールの支持穴を短手方向の両側縁部に有するストレッチャーに装着される架台１であって、生体情報表示装置４を固定する装置固定部１０と、短手方向の両側縁部の支持穴にそれぞれ挿入される両脚部１１と、装置固定部１０を上方に支持する支持部１２と、支持部１２を両脚部１１の位置からストレッチャーの外側へオフセットした位置に支持する両腕部１３とを有する。【選択図】図５
2015208405.tif 000002
【特許請求の範囲】
【請求項１】
点滴用ポールの支持穴を短手方向の両側縁部に有するストレッチャーに装着される架台であって、
生体情報表示装置を固定する装置固定部と、
前記短手方向の両側縁部の支持穴にそれぞれ挿入される両脚部と、
前記装置固定部を上方に支持する支持部と、
前記支持部を前記両脚部の位置から前記ストレッチャーの外側へオフセットした位置に支持する両腕部と
を有する生体情報表示装置の架台。
【請求項２】
前記支持部の下方位置に、前記ストレッチャーの端部を挟み込んで固定するクランプ部を有する請求項１記載の生体情報表示装置の架台。
【請求項３】
前記両腕部は、伸縮機構および前記支持部に対して垂直軸周りの角度調整機構を有する請求項１または２に記載の生体情報表示装置の架台。
【請求項４】
前記支持部は、上下方向に伸縮可能な点滴用ポールを有する請求項１から３のいずれか１項に記載の生体情報表示装置の架台。
【請求項５】
前記装置固定部は、前記生体情報表示装置を吊り下げて固定するものである請求項１から４のいずれか１項に記載の生体情報表示装置の架台。
【請求項６】
前記装置固定部は、前記生体情報表示装置を挟み込んで固定するものである請求項１から４のいずれか１項に記載の生体情報表示装置の架台。
【請求項７】
前記装置固定部は、前記生体情報表示装置を載置してボルトにより固定するための多孔板である請求項１から４のいずれか１項に記載の生体情報表示装置の架台。
【発明の詳細な説明】
【技術分野】
【０００１】
本発明は、ストレッチャーに装着されて生体情報表示装置を支持する架台に関する。
【背景技術】
【０００２】
従来、救急医療の現場では、様々なストレッチャーが初期治療のベッドとして、また搬送のツールとして使用されている。ストレッチャーは、多くの種類のものが各社より発売されているが、画像検査、手術、入院や転院等の移動の多い救急患者の場合、移動がスムーズな簡易型ストレッチャーを使用することが多い。簡易型ストレッチャーは、幅が狭く、長期間の患者の管理には不向きではあるが、救急外来や病棟の限られたスペース等の問題から、このタイプのストレッチャーを選択することが多い。
【０００３】
救急に搬送された重症患者は、放射線科に移動して、ＣＴ（コンピュータ断層撮影）やレントゲン等の画像診断を行ったり、レントゲン透視下での治療や手術等が必要となったりする場合もあり、手術室やレントゲン透視室等へ移動する必要があることも少なくない。同時に、重症患者は入院することも多く、病棟への搬送が必要となることも多い。また、病棟や一般外来の患者に使用する際は、そのほとんどが搬送に関わるものであり、移動が必要であるということは、患者の状態が重篤で、諸検査が必要であるために検査室や手術室等に搬送することが多い。
【０００４】
以上のことから、これらの搬送時は患者の生体情報をリアルタイムに把握する必要があり、生体情報表示装置（以下、「モニター」と称す。）を一緒に持って行くことが多いが、その際には、モニターをストレッチャー内の患者の足元に置くことが多く、モニターの安定性や視認性等に問題がある。
【０００５】
一方、例えば特許文献１には、救命救急の場において使用されるバックボード（患者固定用板状体）に対して、呼吸器、モニター、輸液やシリンジポンプ等の各種医療機械器具等を取り付け取り外しするための着脱具が開示されている。この着脱具は、患者の足側または頭側となるバックボードの長手方向一端側に直接固定され、当該固定された状態においてバックボードの幅方向に広がらずに長手方向に延在する基台部と、当該基台部上にかつ当該基台部の幅方向に略収まるように設けられた医療機械器具等取付部とを備え、さらに、基台部には、バックボードの長手方向一端を差し込むことができる差込部を備え、差し込むことにより基台部とバックボードとが固定されるというものである。これにより、基台部から立設している医療機械器具等取付部に各種医療機械器具等を取り付けておき、これら医療機械器具等が取り付けられた状態のバックボード用医療機械器具等着脱具全体を纏めてバックボード一端に取り付けることが可能となっている。
【先行技術文献】
【特許文献】
【０００６】
【特許文献１】特許第５３４４３５９号公報
【発明の概要】
【発明が解決しようとする課題】
【０００７】
特許文献１に記載のバックボード用医療機械器具等着脱具は、板状体であるバックボードの長手方向一端部に直接差し込んで固定するバックボード専用のものであるため、ストレッチャーに使用することができない。また、この着脱具は、水平方向に差し込むため、これをバックボードに固定するために複雑なロック機構を備える必要があり、構造が複雑である。
【０００８】
そこで、本発明においては、ストレッチャーに対して簡単な構造で容易に着脱することが可能であり、かつ安定して生体情報表示装置を支持することが可能な生体情報表示装置の架台を提供することを目的とする。
【課題を解決するための手段】
【０００９】
本発明の生体情報表示装置の架台は、点滴用ポールの支持穴を短手方向の両側縁部に有するストレッチャーに装着される架台であって、生体情報表示装置を固定する装置固定部と、短手方向の両側縁部の支持穴にそれぞれ挿入される両脚部と、装置固定部を上方に支持する支持部と、支持部を両脚部の位置からストレッチャーの外側へオフセットした位置に支持する両腕部とを有するものである。
【００１０】
本発明の生体情報表示装置の架台は、両脚部をストレッチャーの短手方向の両側縁部の点滴用ポールの支持穴に挿入し、装置固定部に生体情報表示装置を固定した状態で使用する。これにより、生体情報表示装置は、ストレッチャーの外側へオフセットした位置に支持され、生体情報表示装置を含む架台の重心位置を点滴用ポールの支持穴よりもストレッチャーの外側へ位置させて安定させることができる。
【００１１】
ここで、支持部の下方位置に、ストレッチャーの端部を挟み込んで固定するクランプ部を有することが望ましい。上述のように、本発明の生体情報表示装置の架台は、ストレッチャーの短手方向の両側縁部の点滴用ポールの支持穴に両脚部が挿入され、生体情報表示装置がストレッチャーの外側へオフセットした位置に支持されることで安定するが、支持部の下方位置を、クランプ部によってストレッチャーの端部に固定することで、より安定性が向上する。
【００１２】
また、両腕部は、伸縮機構および支持部に対して垂直軸周りの角度調整機構を有することが望ましい。これにより、ストレッチャーが有する点滴用ポールの支持穴の位置が異なる場合であっても、両腕部の伸縮機構および角度調整機構によって両脚部の位置を調整してストレッチャーの点滴用ポールの支持穴に挿入して取り付けることが可能となる。
【００１３】
また、支持部は、上下方向に伸縮可能な点滴用ポールを有するものであることが望ましい。これにより、本発明の生体情報装置の架台ではストレッチャーに備えられた点滴用ポールの支持穴の一部を占有するが、支持部に上下方向に伸縮可能な点滴用ポールを備えることで、この点滴用ポールを利用して輸液バッグ等の医療器具を任意の上下位置に取り付けることが可能となる。
【発明の効果】
【００１４】
（１）本発明の生体情報表示装置の架台は、生体情報表示装置を固定する装置固定部と、短手方向の両側縁部の支持穴にそれぞれ挿入される両脚部と、装置固定部を上方に支持する支持部と、支持部を両脚部の位置からストレッチャーの外側へオフセットした位置に支持する両腕部とを有する構成により、ストレッチャーに対して両脚部を支持穴に挿入するだけで取り付けることができ、簡単な構造で容易に着脱することが可能となる。また、生体情報表示装置は、ストレッチャーの外側へオフセットした位置に支持され、生体情報表示装置を含む架台の重心位置が点滴用ポールの支持穴よりもストレッチャーの外側へ配置されるため、安定して支持される。
【００１５】
（２）支持部の下方位置に、ストレッチャーの端部を挟み込んで固定するクランプ部を有する構成により、生体情報表示装置をより安定して支持することが可能となる。
【００１６】
（３）両腕部が伸縮機構および支持部に対して垂直軸周りの角度調整機構を有する構成により、短手方向の両側縁部に点滴用ポールの支持穴を有する様々な種類のストレッチャーに対応することが可能となる。
【００１７】
（４）支持部が上下方向に伸縮可能な点滴用ポールを有する構成により、輸液バッグ等の医療器具を任意の上下位置に取り付けて使用することが可能となる。
【図面の簡単な説明】
【００１８】
【図１】本発明の実施の形態における生体情報表示装置の架台を取り付けたストレッチャーの平面図である。
【図２】本発明の実施の形態における生体情報表示装置の架台を取り付けたストレッチャーの側面図である。
【図３】本発明の実施の形態における生体情報表示装置の架台の平面図である。
【図４】本発明の実施の形態における生体情報表示装置の架台の正面図である。
【図５】本発明の実施の形態における生体情報表示装置の架台の側面図である。
【図６】本発明の生体情報表示装置の架台の別の実施形態を示す平面図である。
【図７】本発明の生体情報表示装置の架台の別の実施形態を示す正面図である。
【図８】本発明の生体情報表示装置の架台の別の実施形態を示す側面図である。
【発明を実施するための形態】
【００１９】
図１は本発明の実施の形態における生体情報表示装置の架台を取り付けたストレッチャーの平面図、図２は側面図である。図３は図１および図２の生体情報表示装置の架台の平面図、図４は正面図、図５は側面図である。
【００２０】
本発明の実施の形態における架台１は、図１および図２に示すように、ストレッチャー２に装着して使用する。ストレッチャー２には、一般的に点滴用ポールを鉛直に立てるために鉛直方向に形成された支持穴３が四隅に１個ずつ、すなわち、長手方向（図１の左右方向）の両端部の短手（横手）方向（図１の上下方向）の両側縁部に設けられている。
【００２１】
架台１は、生体情報表示装置４を固定する装置固定部１０と、支持穴３にそれぞれ挿入される両脚部１１と、装置固定部１０を上方に支持する支持部１２と、支持部１２を両脚部１１の位置からストレッチャー２の外側へオフセットした位置に支持する両腕部１３と、ストレッチャー２の端部を挟み込んで固定するクランプ部１４とを有する。
【００２２】
装置固定部１０は、生体情報表示装置４を載置するテーブル２０と、生体情報表示装置４をテーブル２０上に挟み込んで固定する一対の固定アーム２１，２２とを有する。生体情報表示装置４は直方体形状であり、固定アーム２１，２２は、ノブボルト２１ａ，２１ｂ，２２ａ，２２ｂを手で緩めることで、生体情報表示装置４の大きさに合わせて固定アーム２１，２２の間隔および長さを調整可能となっている。また、テーブル２０は、底面に固定用のねじ穴を有するタイプの生体情報表示装置４をボルトによって固定可能にするため、多孔板により構成されている。
【００２３】
両腕部１３は、水平方向かつ、図３に示すように上方からみてハの字状に配置されている。また、両腕部１３は、連結されている。両脚部１１は、両腕部１３のそれぞれの先端から鉛直下方に向かって延設されている。支持部１２は、両腕部１３上に鉛直方向に立設されている。クランプ部１４は、両脚部１１側を開放したコの字状となっている。クランプ部１４は、支持部１２の下方位置の中央に、すなわち両腕部１３の中央に設けられている。
【００２４】
上記構成の架台１は、図１および図２に示すように、ストレッチャー２の支持穴３の２つに両脚部１１を挿入するとともに、クランプ部１４によってストレッチャー２の端部を挟み込み、ノブボルト１４ａを締め付けることで、ストレッチャー２に固定する。そして、装置固定部１０のテーブル２０上に生体情報表示装置４を載置し、固定アーム２１，２２の間隔および長さを調整し、ノブボルト２１ａ，２１ｂ，２２ａ，２２ｂを締め付けることで、装置固定部１０に生体情報表示装置４を固定する。
【００２５】
なお、先に装置固定部１０に生体情報表示装置４を固定してから、架台１をストレッチャー２に固定することも可能である。また、生体情報表示装置４の底面に固定用のねじ穴を有する場合には、テーブル２０上に生体情報表示装置４を載置した後、テーブル２０の下面からボルトを締め付けることによって固定することも可能である。
【００２６】
このように、本実施形態における架台１では、両脚部１１がストレッチャー２の点滴用ポールの支持穴３に挿入されて、生体情報表示装置４を固定する装置固定部１０を両脚部１１の位置からストレッチャー２の外側へオフセットした位置に支持するので、生体情報表示装置４を含む架台１の重心位置を支持穴３よりもストレッチャー２の外側へ位置させて安定させることができる。
【００２７】
特に、本実施形態における架台１では、クランプ部１４によってストレッチャー２の端部を挟み込み、固定するので、両脚部１１とクランプ部１４との３点固定により、安定した３点を平面で確保する面固定構造を有するため、非常に優れた安定性を有する。また、クランプ部１４が両脚部１１側を開放したコの字状となっており、ストレッチャー２の端部を挟み込んでいるので、ノブボルト１４ａが万が一緩んでしまった場合であっても、このコの字状のクランプ部１４がストッパーとなり、ストレッチャー２側に倒れることがない。
【００２８】
次に、本発明の生体情報表示装置の架台の別の実施形態について説明する。図６は本発明の生体情報表示装置の架台の別の実施形態を示す平面図、図７は正面図、図８は側面図である。
【００２９】
図６〜図８に示す架台５は、生体情報表示装置６を固定する装置固定部３０と、支持穴３にそれぞれ挿入される両脚部３１と、装置固定部３０を上方に支持する支持部３２と、支持部３２を両脚部３１の位置からストレッチャー２の外側へオフセットした位置に支持する両腕部３３と、ストレッチャー２の端部を挟み込んで固定するクランプ部３４とを有する。
【００３０】
装置固定部３０は、生体情報表示装置６を引っ掛けて吊り下げる２本の水平杆３０ａ，３０ｂにより構成されている。生体情報表示装置６は、背面に吊り下げ用のフック６ａを備えている。両腕部３３は、水平方向かつ、図６に示すように上方からみてハの字状に配置されている。両腕部３３は、ノブボルト３３ａを手で緩めることで伸縮可能な伸縮機構と、蝶ボルト３３ｂを手で緩めることで支持部３２に対して垂直軸周りの角度を調整可能な角度調整機構とを有する。また、両腕部３３は、連結されている。
【００３１】
両脚部３１は、両腕部３３のそれぞれの先端から鉛直下方に向かって延設されている。支持部３２は、両腕部３３上に鉛直方向に２本並設されている。水平杆３０ａ，３０ｂは、この２本並設された支持部３２の間に渡して設けられている。また、支持部３２は、上下方向に伸縮可能な点滴用ポール３２ａを有している。点滴用ポール３２ａは、ノブボルト３２ｂを手で緩めることで上下に伸縮可能となり、任意の位置でノブボルト３２ｂを手で締めることで固定することが可能となっている。クランプ部３４は、両脚部３１側を開放したコの字状となっている。クランプ部３４は、支持部３２の下方位置の中央に、すなわち両腕部３３の中央に設けられている。
【００３２】
上記構成の架台５は、図１および図２に示したのと同様に、ストレッチャー２の支持穴３の２つに両脚部３１を挿入するとともに、クランプ部３４によってストレッチャー２の端部を挟み込み、ノブボルト３４ａを締め付けることで、ストレッチャー２に固定する。このとき、ストレッチャー２の支持穴３の位置に応じて、両腕部３３のノブボルト３３ａおよび蝶ボルト３３ｂを手で緩め、両腕部３３の長さおよび角度を調整し、ノブボルト３３ａおよび蝶ボルト３３ｂを締め付ける。そして、装置固定部３０の水平杆３０ｂに生体情報表示装置６のフック６ａを引っ掛けることにより、生体情報表示装置６を吊り下げて固定する。
【００３３】
このように、架台５では、両腕部３３の伸縮機構および角度調整機構によって、ストレッチャー２が有する点滴用ポールの支持穴３の位置が異なる場合であっても、両腕部３３の位置を調整してストレッチャー２の点滴用ポールの支持穴３に挿入して容易に取り付けることが可能である。また、この両腕部３３の伸縮機構および角度調整機構は、前述の架台１にも適用可能である。
【００３４】
また、この架台５においても、両脚部３１がストレッチャー２の点滴用ポールの支持穴３に挿入されて、生体情報表示装置６を固定する装置固定部３０を両脚部３１の位置からストレッチャー２の外側へオフセットした位置に支持するので、生体情報表示装置６を含む架台５の重心位置を支持穴３よりもストレッチャー２の外側へ位置させて安定させることができる。
【００３５】
また、この架台５では、支持部３２が上下方向に伸縮可能な点滴用ポール３２ａを有しているため、架台５を取り付けることによってストレッチャー２に備えられた点滴用ポールの支持穴３の一部を占有しても、この点滴用ポール３２ａを利用して輸液バッグ等の医療器具を任意の上下位置に取り付けることが可能である。
【００３６】
また、架台１，５のいずれも、生体情報表示装置４，６を患者の足元よりも高い位置に配置することができるので、生体情報表示装置４，６を見る搬送者の視線上に障害物がない状態を確保することができ、視認性が保たれる。また、ストレッチャー２を押したり引いたりする際に、架台１，５を取っ手代わりにすることができるため、腰を曲げずに押し引きすることが可能であり、搬送者の身体に掛かる負担を軽減することができる。
【産業上の利用可能性】
【００３７】
本発明の架台は、ストレッチャーに生体情報表示装置を支持する装置として有用である。
【符号の説明】
【００３８】
１，５  架台
２  ストレッチャー
３  支持穴
４，６  生体情報表示装置
１０，３０  装置固定部
１１，３１  両脚部
１２，３２  支持部
１３，３３  両腕部
１４，３４  クランプ部
２０  テーブル
２１，２２  固定アーム
３０ａ，３０ｂ  水平杆
３２ａ  点滴用ポール
【図１】
2015208405.tif 000003
【図２】
2015208405.tif 000004
【図３】
2015208405.tif 000005
【図４】
2015208405.tif 000006
【図５】
2015208405.tif 000007
【図６】
2015208405.tif 000008
【図７】
2015208405.tif 000009
【図８】
2015208405.tif 000010